(57)【特許請求の範囲】
【請求項１】
上下面を有するクリップ片の取り付け穴に挿入する飾り本体と、
クリップ片の上下面に対応する 飾り本体の上下端に前記クリップ片を挟持するように設けた挟持部とを備え、
飾り本体の先に組付ける側の上挟持部は対向する下挟持部より大きく突出させ、後から組付ける下挟持部は対向する上挟持部より大きく突出させたことを特徴とする軸筒のクリップ飾り。
【請求項２】
上下面を有するクリップ片の取り付け穴に挿入する飾り本体と、
クリップ片の上下面に対応する 飾り本体の上下端に前記クリップ片を挟持するように設けた挟持部とを備え、
飾り本体の上端には、左右周縁のみに挟持部が突設され、
飾り本体の下端には、左右周縁には挟持部を連続して、それ以外の周縁には前記左右周縁の挟持部とは分離して挟持部が突設されていることを特徴とする軸筒のクリップ飾り。
【請求項３】
上下面を有するクリップ片の取り付け穴に該クリップ片の下側からクリップ飾りの上挟持部の一方を挿入するとともにクリップ片の下面に組立補助冶具を当接させる第１ステップと、
前記上挟持部を前記取り付け穴に押し込みながら該クリップ飾りと前記組付補助冶具とを互いに近づく方向に移動させて該取り付け穴の穴縁を一方の上下挟持部間に挿入させる第２ステップと、
前記クリップ飾りと前記組付補助冶具との前記移動を続けて該クリップ飾りの他方の上挟持部を前記取り付け穴の挿入可能位置に移動させて該上挟持部を前記取り付け穴に挿入させる第３ステップと、
前記他方の上下挟持部材間に前記穴縁を合致させ、前記クリップ飾りと前記組付補助冶具を前記とは反対の互いに遠ざかる方向に移動させる第４ステップと、
前記クリップ飾りの移動により、左右の上下挟持部で前記クリップ片の取り付け穴の穴縁を挟持固定する第５ステップとからなることを特徴とする軸筒のクリップ飾りの取り付け方法。
【発明の詳細な説明】
【技術分野】
【０００１】
この発明は、ボールペン、シャープペンシル等の筆記具及びその他クリップの取り付けを必要とする軸筒のクリップに関し、特にそのクリップに取り付けられるクリップ飾り、飾り付きクリップ並びにその取り付け方法に関する。
【背景技術】
【０００２】
従来は特許文献１に示されているように、クリップ飾りをクリップ片に取り付けるのには、クリップ片に設けた取り付け穴にクリップ飾りの取り付け部を圧入固定する。あるいは、クリップ片にクリップ飾りを接着固定することが行われていた。しかし、圧入固定の場合には、クリップ飾りの取り付け部を強く押圧するため、部品にキズを付けたり破損したりする問題があった。また、接着の場合には接着剤の漏れによる部品の汚れ等を生じる問題があった。さらに、この圧入、接着による固定では、多少の衝撃であっても外れやすく、取り付けに手間がかかり生産コストが高くなるという問題があった。
【０００３】
なお、クリップ飾り及びクリップ片がともにプラスチックスの場合は、二色成形による方法もあるが、二色成形にすると金型が約２倍の高額（小ロットの場合は不向き）となり、金型精度も二色成形は一色成形に比べてきわめて高い精度が要求されるので、余程の必要性がある場合を除き、二色成形は敬遠されがちであった。
【特許文献１】特開平１１−１２９６８６号公報
【発明の開示】
【発明が解決しようとする課題】
【０００４】
この発明が解決しようとする課題は、クリップ飾りをクリップ片に取り付けるために圧入・接着をなくして、部品のキズ・破損・汚れ等の取り付けに起因する問題を解消することを目的とする。また、クリップ飾りをクリップ片に簡単に取り付けることができるようにして、取り付けに要する手間を省き、生産コストを低減することを狙いとする。
【課題を解決するための手段】
【０００５】
上記問題点を解決するために、この発明に係る軸筒のクリップ飾りは、クリップ片の取り付け穴に挿入する飾り本体と、この飾り本体の上下端に前記グリップ片を挟持するように設けた挟持部とを備えたことを最も主要な特徴とする。
【０００６】
また、この発明に係る飾り付きクリップは、クリップ片の一端部に軸筒に対する取り付け部を設け、他端部にクリップ飾りを取り付ける取り付け穴を設けたことを特徴とする。
【０００７】
さらに、この発明に係る軸筒のクリップ飾りの取り付け方法は、クリップ片の取り付け穴に該クリップ片の下側からクリップ飾りの上挟持部の一方を挿入するとともにクリップ片の下面に組立補助冶具を当接させる第１ステップと、前記上挟持部を前記取り付け穴に押し込みながら該クリップ飾りと前記組付補助冶具とを互いに近づく方向に移動させて該取り付け穴の穴縁を一方の上下挟持部間に挿入させる第２ステップと、前記クリップ飾りと前記組付補助冶具との前記移動を続けて該クリップ飾りの他方の上挟持部を前記取り付け穴の挿入可能位置に移動させて該上挟持部を前記取り付け穴に挿入させる第３ステップと、前記他方の上下挟持部材間に前記穴縁を合致させ、前記クリップ飾りと前記組付補助冶具を前記とは反対の互いに遠ざかる方向に移動させる第４ステップと、前記クリップ飾りの移動により、左右の上下挟持部で前記クリップ片の取り付け穴の穴縁を挟持固定する第５ステップとからなることを特徴とする。
【発明の効果】
【０００８】
この発明の軸筒のクリップ飾りは、クリップ片の取り付け穴に挿入する飾り本体の上下端に、クリップ片を挟持する挟持部を設けた構成であるから、きわめて簡単な構成であり、部品点数も少なく安価に得ることができる。
【０００９】
また、この発明の飾り付きクリップは、クリップ片の一端部に軸筒に対する取り付け部を設け、他端部にクリップ飾りを取り付ける取り付け穴を設けた構成であるから、簡単な構成で取り付けなどの製作加工が容易であり、安価に得ることができる。
【００１０】
さらに、この発明の軸筒のクリップ飾り取り付け方法は、簡単な組立補助冶具をクリップ片の下面に沿って移動させ、先端部を上下挟持部間に挿入し、組み付け時におけるクリップ飾りに移動に伴って上下挟持部の間隔を押し広げ、この上下挟持部間にクリップ片の取り付け穴縁を挿入させるようにしたので、圧入・接着をなくして、部品のキズ・破損・汚れ等の取り付けによる起因する問題を解消するとともに、無理なく簡単にクリップ飾りをクリップ片に取り付けることができ、手間がかからず、生産コストを低減することができる利点がある。
特に、クリップ片が金属で、クリップ飾りがプラスチック又はダイカストの場合は二色成形ができないので、このような場合、この発明の取り付け方法は顕著な利点と言える。
【発明を実施するための最良の形態】
【００１１】
この発明は、クリップ飾りをクリップ片に簡単に取り付けることができるクリップ飾り付きクリップを有する筆記具等を実現したもので、以下、この発明の実施の形態による軸筒のクリップ飾り、クリップ並びにその取り付け方法について図１から図１２を参照して詳細に説明する。
【実施例１】
【００１２】
図１は、この発明のクリップ飾り１の正面図であって、図２はその平面図、図３はその底面図、図４はその側面図、図５は図１のＡ−Ａ線に沿った断面図である。図において、クリップ飾り１はプラスチックス製又はダイカスト製であり、後述するクリップ片２の取り付け穴２２に挿入する飾り本体１１と、この飾り本体１１の上下端に前記グリップ片を挟持するように設けた挟持部１２，１３とで構成されている。飾り本体１１は取り付け穴２２に挿入したとき、取り付け穴２２内でがたつかないように該取り付け穴２２と略同径の断面径を成している。また、本体部１１の下面中央部には押圧突起１４が設けられている。
【００１３】
そして、飾り本体１１の上端には左右周縁のみに上挟持部１２Ｌ、１２Ｒが突設され、飾り本体１１の下端には周縁の全域に挟持部１３が突設されている。しかし、図示例は組付性を考慮して、飾り本体１１の下端には左右周縁に下挟持部１３Ｌ、１３Ｒを連続して突設させ、それ以外の周縁には下挟持部１３Ｌ、１３Ｒとは分離して挟持部１３が突設させている。また、飾り本体下端の左右周縁に突設された挟持部１３Ｌ、１３Ｒは、中央部の厚みが厚くなるように山形１３ａ（図４）に形成されており、飾り本体上端の左右周縁に突設された上挟持部１２Ｌ、１２Ｒとの間隔を中央部が狭くなるようにしている。また、反対に、本体部上端の左右周縁に突設された上挟持部１２Ｌ、１２Ｒの中央部の厚みが厚くなるように山形に、あるいは、飾り本体１１の左右周縁に突設された上下挟持部１２Ｌ、１２Ｒ，１３Ｌ、１３Ｒのそれぞれ中央部の厚みが厚くなるように山形に形成してもよい。
【００１４】
これにより、左右の上下挟持部１２Ｌ、１３Ｌ，１２Ｒ、１３Ｒにより取り付け穴２２の穴縁を線状に挟持することができ、クリップ飾り１をクリップ片２に強固に取り付け固定することができる。また、飾り本体１１の先に組付ける側の上挟持部１２Ｌ（図示例は左側）は対向する下挟持部１３Ｌより幅Ｗ１だけ大きく突出させ、後から組付ける下挟持部１３Ｒは対向する上挟持部１２Ｒより幅Ｗ２だけ大きく突出させている。なお、図１において上挟持部１２Ｒと下挟持部１３Ｒとの間には後述するクリップ２の取り付け孔２２に係合するための係合リブ１ａが飾り本体１１と一体的に形成されている。また、図１及び図３において符号１ｂは、金型成形上必要とされるゲートである。
【００１５】
図６は上記クリップ飾り１を取り付けるクリップ片２を示す平面図であり、このクリップ片２は例えば、金属製の帯状板の一端側をＵ字状に折り返して後述する軸筒３１に対する取り付け部２１を形成し、他端部にはクリップ飾り１を取り付ける取り付け穴２２を形成した構成である。このクリップ片２は金属製の他、合成樹脂によるモールド成形により上記の形状に作成してもよい。また、上記の取り付け穴２２は両端部を半円弧状とした長穴であり、この長穴に同径のクリップ飾り１の本体部１１を挿入することにより回り止めとなる。
【００１６】
実施例１によれば、クリップ飾り１は上記の構成であるから、きわめて簡単な構成で、しかも部品点数も少ないので安価に得ることができる。また、クリップ飾り１の下面には中央部が最も大きく突出するように押圧突起１４が形成されているので、このクリップ飾り１を取り付けたクリップ片を例えば洋服のポケットに装着したような場合、押圧突起１４が洋服の生地に押されてクリップ片との組み付けを強固にすることができ、多少の衝撃が加わっても外れることはない。
【００１７】
また、上記のように、クリップ飾り１の下面に押圧突起１４が形成されたことにより、クリップ片２には押圧突起を設ける必要がなく、クリップ片２を簡単な構成で安価に得ることができる。
【実施例２】
【００１８】
次に、上記実施例１におけるクリップ飾り１をクリップ片２に取り付ける手順を図７から図１１を用いて説明する。なお、この取り付けには、簡単な組付補助冶具４を使用する。この組付補助冶具４は例えば金属製の薄板材で形成されており、クリップ片２の厚みより薄く、上下端挟持部間に挿入可能なものである。
【００１９】
まず、第１ステップでは、クリップ片２の取り付け穴２２に下側からクリップ飾り１の先に組付ける側、図示例は左側の上挟持部１２Ｌを挿入し、クリップ片２の下面に組付補助冶具４を当接させる。
【００２０】
第２ステップでは、上挟持部１２Ｌを取り付け穴２２に押し込みながら該クリップ飾り１と組付補助冶具４とを互いに近づく方向に移動させるもので、上挟持部１２Ｌは下挟持部１３Ｌより幅Ｗ１だけ大きく突出しているので、この上挟持部１２Ｌの先端は容易に取り付け穴縁の上面に当接させることができる。このとき、下挟持部１３Ｌはクリップ片２の下面に沿って矢印方向に移動させる組付補助治具４に圧接して湾曲する。この場合、下挟持部１３Ｌは他の周縁に突設された挟持部１３とは分離されているので、湾曲しやすい。この結果、上下端挟持部１２Ｌ，１３Ｌの間の間隔Ｇが広がり、取り付け穴２２の穴縁を容易に間隔Ｇ内に挿入させることができる。
【００２１】
第３ステップでは、クリップ飾り１と組付補助冶具４とを互いに近づく方向に移動させ続けることにより、下挟持部１３Ｌは更に湾曲して取り付け穴２２の穴縁をより深く上下挟持部１２Ｌ，１３Ｌの間の間隔Ｇ内に挿入させる。この結果、クリップ飾り１の他方、図示例では後から組付ける右側の上挟持部１２Ｒを取り付け穴２２の挿入可能位置に移動させることができ、この位置においてクリップ飾り１を下から押し上げて、右側の上挟持部１２Ｒを取り付け穴２２に挿入させる。
【００２２】
第４ステップでは、上挟持部１２Ｒを取り付け穴２２に挿入させると、その上挟持部１２Ｒより幅Ｗ２だけ大きく突出している下挟持部１３Ｒの先端がクリップ片２の下面に当接し、上挟持部１２Ｒが必要以上挿入されることを防止し、取り付け穴の穴縁を上下挟持部１２Ｒ，１３Ｒの間隔Ｇに確実に合致させる。そして、クリップ飾り１と組付補助冶具４とを第２ステップの場合とは反対の互いに遠ざかる方向に移動させる。
【００２３】
第５ステップでは、第４ステップにおけるクリップ飾り１と組付け補助やグ４との移動で組付補助冶具４が取り外されることにより、下挟持部１３Ｌが湾曲状態からクリップ片２と平行する直線状態に復元するため、クリップ飾り１を右側方向に移動させて左側の上下挟持部１２Ｌ．１３Ｌの間隔Ｇに対する穴縁の挿入量は減少しても、クリップ片２を強固に保持する。一方、クリップ飾り１の移動によって、取り付け穴２２の右側穴縁が上下挟持部１２Ｒ，１３Ｒの間隔Ｇに挿入することになる。この結果、クリップ飾り１はクリップ片２の左右に形成された上下挟持部１２Ｌ．１３Ｌ，１２Ｒ，１３Ｒにより挟持され、クリップ片２に強固に組付けられる。また、上挟持部１２Ｌ、１２Ｒによってクリップ片２の下面が、左右周縁以外に設けられた挟持部１３に押圧されることにより、係合リブ１ａも作用してクリップ片２はより強固に組付け保持される。
【００２４】
実施例２によれば、組立補助冶具４をクリップ片２の下面に沿って移動させて、先端部を上下挟持部１２Ｌ、１３Ｌ間に挿入し、組み付け時におけるクリップ飾り１との相対的移動に伴って上下挟持部１２Ｌ、１３Ｌの間隔を押し広げ、この上下挟持部間にクリップ片２の取り付け穴縁を挿入させるようにしたので、圧入、接着等によることなく、簡単にクリップ飾りをクリップ片に取り付けることができる。
【００２５】
図１２は上記のようにしてクリップ飾り１を取り付けたクリップ片２を装着した筆記具３を示す平面図であり、筆記具３はその軸筒３１の一端側に軸筒面と平行に設けた取り付け部３２を有するもので、この取り付け部３２にクリップ片２のＵ字型取り付け部２１を挿入取り付けたものである。この取り付け状態において、筆記具３を洋服のポケットに差し入れた場合、クリップ飾り１の下面中央部に突設された押圧突起１５が洋服の生地をクリップ片との間に押圧保持する。
【００２６】
上記実施例においては、筆記具３としてボールペンについて説明をしたが、ボールペン以外のシャープペンシル等の筆記具３は勿論のこと、クリップを必要とするその他の軸筒、例えば消しゴムのホルダーであってもよく、修正液を貯留するペンタイプの容器、あるいは、携帯用の印鑑ホルダーであってもよい。
【図面の簡単な説明】
【００２７】
【図１】この発明の実施例によるクリップ飾りの正面図である。
【図２】その平面図である。
【図３】その底面図である。
【図４】その左側面図である。
【図５】図１のＡ−Ａに沿った断面図である。
【図６】クリップ片の平面図である。
【図７】クリップ飾りをクリップ片に取り付ける手順を示すステップ１の説明図である。
【図８】そのステップ２の説明図である。
【図９】そのステップ３の説明図である。
【図１０】そのステップ４の説明図である。
【図１１】そのステップ５の説明図である。
【図１２】この発明のクリップ飾り付きクリップ片が取り付けられた筆記具を示す正面図である。
【符号の説明】
【００２８】
１  クリップ飾り
１１  飾り本体
１２Ｌ、１２Ｒ  上挟持部
１３、１３Ｌ、１３Ｒ  下挟持部
１４  押圧突起
２  クリップ片
２１  取り付け部
２２  取り付け穴
Ｇ  間隔
３  筆記具
３１  軸筒
３２  取り付け部
４  組付補助冶具
【図１】
0004841947.tif 000002
【図２】
0004841947.tif 000003
【図３】
0004841947.tif 000004
【図４】
0004841947.tif 000005
【図５】
0004841947.tif 000006
【図６】
0004841947.tif 000007
【図７】
0004841947.tif 000008
【図８】
0004841947.tif 000009
【図９】
0004841947.tif 000010
【図１０】
0004841947.tif 000011
【図１１】
0004841947.tif 000012
【図１２】
0004841947.tif 000013